(57)【要約】      （修正有）【課題】あたかも襦袢を着ているように着物の衿部側に仕立衿の衿部を位置させ、かつ、その仕舞い勝手も安定させることができる仕立衿および該仕立衿付きの対丈着物の提供。【解決手段】仕立衿１１は、身に着けた際の衿として用いられる衿部本体１２と、衿部本体を背中側で支持する背側布体２２と、衿部本体の一方の衿先部１８側と他方の衿先部１９側とを位置固定させた状態で衿部本体１２と背側布体２２とを一体化するベルト体３２とで構成されている。長袖付きの対丈着物は、仕立衿１１側の一側掛着部材との掛合が可能な他側掛着部材と仕立衿１１の衿幅よりも狭幅な衿部とを備えて仕立衿との一体的な組み付けを可能に形成されている。【選択図】図１
0003206851.tif 000002
【実用新案登録請求の範囲】
【請求項１】
衿用布材の長手方向での上縁側を前側に折り返して形成される折畳み片部と前記衿用布材との間に芯材を介在させてなる衿部本体と、該衿部本体の長手方向での中央部位に上端部側を縫着して適宜長さで垂下させた背側布体と、該背側布体の長手方向での適宜位置に縫着して左右方向に振り分けられた一側ベルト片部と他側ベルト片部とを備えるベルト体とで構成され、
前記衿部本体の長手方向での一端寄りと他端寄りとに位置する前記折畳み片部のそれぞれは、一方の側の面ファスナーであるフックテープ片ともども各別に縫着して前記衿用布材側と一体化され、
前記ベルト体は、前記一側ベルト片部と前記他側ベルト片部とのいずれか一方の開放端寄りの裏側に一方の側の面ファスナーであるフックテープ片を備え、かつ、表側が他方の側の面ファスナーであるパイル布地として形成され、
前記衿部本体側が各別に備える前記フックテープ片と、前記ベルト体が備える前記フックテープ片とのそれぞれは、前記パイル布地を介して前記ベルト体側への止着を可能としたことを特徴とする仕立衿。
【請求項２】
身に着けた際に首筋側に位置する前記衿部本体の表側には、着物を着用した際に前記首筋側との対面位置にある前記着物側の衿部の裏側に配設された他側掛着部材との掛合が自在な一側掛着部材を設け、
該一側掛着部材を介して前記着物側への一体的な組み付けを可能とした請求項１に記載の仕立衿。
【請求項３】
請求項２に記載の仕立衿と、該仕立衿側の前記一側掛着部材との掛合が可能な他側掛着部材と前記仕立衿の衿幅よりも狭幅な衿部とを備えて該仕立衿との一体的な組み付けを可能に形成された対丈着物とで構成され、
該対丈着物の前記衿部は、衿本体部側へと折り畳まれて対面する折返し部における左右の衿先部側を下前裏側もしくは衽側とは非連続にして配置したことを特徴とする仕立衿付きの対丈着物。
【請求項４】
前記対丈着物は、着用時の下前表にあって右側縫い線からやや前身頃方向に入り込んだ位置にあるウエストラインの上側にその一端部が固着された第１結び紐と、
着用時の上前裏にあって衽の外縁部における前記ウエストラインの下側にその一端部が固着されて着用時に前記第１結び紐と結ばれる第２結び紐と、
着用時の下前裏にあって右側開放端からやや前身頃方向に入り込んだ位置にある前記ウエストラインの下側にその一端部が固着された第３結び紐と、
着用時の上前裏にあって左側縫い線からやや後身頃方向に入り込んだ位置にある前記ウエストラインの上側にその一端部が固着されて着用時に前記第３結び紐と結ばれる第４結び紐と、
着用時の下前裏にあって前記右側開放端からやや前身頃方向に入り込み、かつ、前記下身頃体の縦長さ方向での中間位置から１２ｃｍ前後上方に位置する部位にその一端部が固着された第５結び紐と、
着用時の上前裏にあって前記左側縫い線に沿った前身頃側における前記下身頃体の縦長さ方向での中間位置から１７ｃｍ前後上方に位置する部位にその一端部が固着されて着用時に前記第５結び紐と結ばれる第６結び紐とを備える請求項３に記載の仕立衿付きの対丈着物。
【考案の詳細な説明】
【技術分野】
【０００１】
本考案は、襦袢を着ていなくてもあたかも襦袢を着ているように仕立衿で装った状態のもとで対丈着物を着用することができる仕立衿および該仕立衿付きの対丈着物に関する技術である。
【背景技術】
【０００２】
従来からある着物は、例えば５．５ｃｍ程度の比較的広幅な衿が付いているのが普通である。そして、この場合における着物の衿は、高く、かつ、直線縫いであることから、身体を着物に合わせる際に寸胴の体型となるようにタオルを腰に巻き付けたりして体型補正を行っているのが一般的であった。
【０００３】
また、通常、着物には、御端折りがあることから、その着用時におけるおなか周りもどっしりとした感じになってしまうため、髪をアップにして付け毛などをしてボリューム感を出して頭を大きく見せるようにしないとバランスがとれないことになる。
【０００４】
着物着用にまつわるこのような問題は、着用者が美容室等で髪をセットしてもらったり、着付けをしてもらったりすることで解決することができるものの、そのための着付けに時間がかかったり、少なからざる費用がかかったりするという新たに発生する問題があった。
【０００５】
しかも、上記着物は、腰紐を身体に巻き付けて固定するものであることから、着用時の締め付けによる圧迫感からは依然として解放されないという不具合もあった。
【０００６】
このため、従来からある着物にまつわる上記したような問題の解消を図るべく、本出願人は、特許文献１に開示されている「対丈着物」を既に提案している。
【先行技術文献】
【特許文献】
【０００７】
【特許文献１】特許第５７７１００３号公報  すなわち、特許文献１には、着用者から採寸された各曲線情報に基づいて各別に裁断された上身頃体と下身頃体とを御端折り部分をなくしてウエストラインの位置にて一体化するとともに、所定位置に各別に固定された第１結び紐〜第６結び紐を備え、その着用時には、第３結び紐と第４結び紐とを結んで下前を若干せり上がらせ、第５結び紐と第６結び紐とを結んで下前左裾をさらに若干せり上がらせるとともに、第１結び紐と第２結び紐とを結んで上前右裾を若干せり上がらせるようにして裾周りの仕舞いを美しくして着用できるようにすることで、誰もが簡単に着用できて着崩れもしないデザイン性に優れた対丈着物が開示されている。
【０００８】
しかし、特許文献１の対丈着物のうち、小袖と狭幅な掛け衿とを備える対丈着物については、和服の下着として着用される襦袢の衿に半衿を縫い付けて衿芯を差し込んで形成される襦袢衿を対丈着物側と首回りとの間に介在させることで、丈着物側の衿の汚れを防いだり、対丈着物を着用した際に衿元を美しく見せる必要があった。
【０００９】
このような要請に対応し得るものとしては、例えば特許文献２に開示されているように、半衿の長さに合わせた半衿丈仕立衿部に抜衿布部を取り付け、該抜衿布部の下端側に一方の面ファスナーを配設することで、着物の背縫い上に取り付けてある他方の面ファスナーとの着脱を可能とすることで、着物側と一体化できるようにした仕立衿がある。
【００１０】
【特許文献２】特開平９−２５０００１号公報
【考案の概要】
【考案が解決しようとする課題】
【００１１】
しかし、特許文献２の仕立衿による場合には、半衿丈仕立衿部の左右の各衿先部が自由端となって遊動する結果、仕立衿側の一方の面ファスナーと着物側の他方の面ファスナーとを掛合することで一体化させて着用しても、半衿丈仕立衿部の衿先側の仕舞いが不安定になってしまう不都合があった。
【００１２】
本考案は、従来技術にみられた上記課題に鑑みてなされたものであり、襦袢を着なくても、あたかも襦袢を着ているように着物の衿側に仕立衿を位置させ、かつ、該仕立衿の衿先側の仕舞い勝手も安定させることができる仕立衿および該仕立衿付きの対丈着物を提供することをその目的とする。
【課題を解決するための手段】
【００１３】
本考案は、上記目的を達成すべくなされたものであり、そのうちの第１の考案（仕立衿）は、衿用布材の長手方向での上縁側を前側に折り返して形成される折畳み片部と前記衿用布材との間に芯材を介在させてなる衿部本体と、該衿部本体の長手方向での中央部位に上端部側を縫着して適宜長さで垂下させた背側布体と、該背側布体の長手方向での適宜位置に縫着して左右方向に振り分けられた一側ベルト片部と他側ベルト片部とを備えるベルト体とで構成され、前記衿部本体の長手方向での一端寄りと他端寄りとに位置する前記折畳み片部のそれぞれは、一方の側の面ファスナーであるフックテープ片ともども各別に縫着して前記衿用布材側と一体化され、前記ベルト体は、前記一側ベルト片部と前記他側ベルト片部とのいずれか一方の開放端寄りの裏側に一方の側の面ファスナーであるフックテープ片を備え、かつ、表側が他方の側の面ファスナーであるパイル布地として形成され、前記衿部本体側が各別に備える前記フックテープ片と、前記ベルト本体が備える前記フックテープ片とのそれぞれは、前記パイル布地を介して前記ベルト体側への止着を可能としたことを最も主要な特徴とする。
【００１４】
この場合、身に着けた際に首筋側に位置する前記衿部本体の表側には、着物を着用した際に前記首筋側との対面位置にある前記着物側の衿部の裏側に配設された他側掛着部材との掛合が自在な一側掛着部材を設け、該一側掛着部材を介して前記着物側への一体的な組み付けを可能とするのが望ましい。
【００１５】
一方、第２の考案（仕立衿付きの対丈着物）は、請求項２に記載の仕立衿と、該仕立衿側の前記一側掛着部材との掛合が可能な他側掛着部材と前記仕立衿の衿幅よりも狭幅な衿部とを備えて該仕立衿との一体的な組み付けを可能に形成された対丈着物とで構成され、該対丈着物の前記衿部は、衿本体部側へと折り畳まれて対面する折返し部における左右の衿先部側を下前裏側もしくは衽側とは非連続にして配置したことを最も主要な特徴とする。
【００１６】
この場合、前記対丈着物は、着用時の下前表にあって右側縫い線からやや前身頃方向に入り込んだ位置にあるウエストラインの上側にその一端部が固着された第１結び紐と、着用時の上前裏にあって衽の外縁部における前記ウエストラインの下側にその一端部が固着されて着用時に前記第１結び紐と結ばれる第２結び紐と、着用時の下前裏にあって右側開放端からやや前身頃方向に入り込んだ位置にある前記ウエストラインの下側にその一端部が固着された第３結び紐と、着用時の上前裏にあって左側縫い線からやや後身頃方向に入り込んだ位置にある前記ウエストラインの上側にその一端部が固着されて着用時に前記第３結び紐と結ばれる第４結び紐と、着用時の下前裏にあって前記右側開放端からやや前身頃方向に入り込み、かつ、前記下身頃体の縦長さ方向での中間位置から１２ｃｍ前後上方に位置する部位にその一端部が固着された第５結び紐と、着用時の上前裏にあって前記左側縫い線に沿った前身頃側における前記下身頃体の縦長さ方向での中間位置から１７ｃｍ前後上方に位置する部位にその一端部が固着されて着用時に前記第５結び紐と結ばれる第６結び紐とを具備させて形成するのが好ましい。
【考案の効果】
【００１７】
本考案のうち、第１考案（仕立衿）によれば、一側ベルト片部と他側ベルト片部とを胴回りに配置してフックテープ片をパイル布地側に掛着することで締め付け感のないベルト体としてしっかりと固定することができるほか、該ベルト体のパイル布地に衿部本体の一方の開放端寄りである一方の衿先側と他方の開放端寄りである他方の衿先側とを交差させながらそれぞれのフックテープ片を掛着させたその全体で仕立衿として簡単、かつ、安定的に身に着けることができる。
【００１８】
しかも、仕立衿は、衿部本体の一方の衿先側と他方の衿先側とのそれぞれのフックテープ片をパイル布地の適位置に各別に掛着することができるので、衿の空き具合も必要に応じて自由に調整することができる。
【００１９】
この場合、仕立衿における衿部本体の表側に、着物を着用した際に首筋側との対面位置にある着物側の衿部の裏側に設けられている他側掛着部材との掛合が自在な一側掛着部材が設けられている場合には、着物側の他側掛着部材と衿部本体側の一側掛着部材とを掛合させることで、着物側の衿部と仕立衿側の衿部との間の位置づれをなくして着物に対し仕立衿を一体感を伴った状態のもとで簡単に組み付けることができるので、着物の衿部側が崩れないようにして極く容易にその全体を着用することができる。
【００２０】
一方、第２の考案（仕立衿付きの対丈着物）によれば、対丈着物は、仕立衿が備える一側掛着部材との掛合が可能な他側掛着部材と、仕立衿の衿部の衿幅よりも狭幅な衿部とを備えているので、他側掛着部材に一側掛着部材を掛合させることで、仕立衿を一体的に組み付けることができる。
【００２１】
しかも、このとき、対丈着物の衿部の衿幅は、仕立衿の衿部の衿幅よりも狭幅なので、襦袢を着用していなくてもあたかも襦袢を着ているような着姿のもとで対丈着物を着用することができる。
【００２２】
また、対丈着物には、通常の着物が備えるお端折りに相当するものががないので、着用時における着崩れのほか、窮屈で苦しさを伴う紐の巻き付けというお端折りに由来する不具合を解消させることができる。
【００２３】
さらに、対丈着物の衿部は、該衿部にあって下前裏側もしくは衽側とは非連続となって左右の衿先部側のそれぞれに折返し部が配置されていることから、きちんと巻き込めておさまりがよいので、着心地がよいほか、衿の形をきれいに出すこともできる。また、対丈着物の衿部は、着るときに好みの衿幅に折って着付けることができるほか、胸元がはだけにくく、折り目がふっくらしているため、胸元を美しく見せることもできる。
【００２４】
この場合、対丈着物が予め取り付け位置が定められている第１結び紐〜第６結び紐とを備えている場合には、着用者は、第１結び紐〜第６結び紐につき、それぞれの対応位置にあるものを相互に結んで着用した際に裾先を若干せり上がらせることで、裾部周りの仕舞いを美しく整えることができる。
【００２５】
しかも、このとき、第５結び紐と第６結び紐とは、これらを相互に結んだ際に着用者の膝上部分に位置する結果、比較的大きな歩幅での歩行を可能とすることで、現代の生活習慣に合わせた歩幅でゆったり、かつ、颯爽と歩くこともできる。
【図面の簡単な説明】
【００２６】
【図１】第１の考案の一例を示す展開正面図。
【図２】図１との対応関係のもとで示す展開背面図。
【図３】図１に示す例につきベルト体側のみを身体回り方向に配置した状態で示す説明図。
【図４】図３に示す状態につき、さらに衿部本体の一方の衿先部側と他方の衿先部側とのそれぞれのフックテープ片をパイル布地側に各別に掛着させた状態で示す説明図。
【図５】第２の考案における対丈着物の一例を着用時に右側に位置する衿先部（下前表側）を衿本体部と折返し部との配置関係が明らかになるように展開して示す正面図。
【図６】第２の考案における対丈着物の第１結び紐〜第６結び紐の配置関係を（ａ）〜（ｃ）として示す説明図。
【図７】図５におけるとは逆の位置関係（衽側）のもとで衿先部における衿本体部と折返し部および衽側との位置関係が明らかになるように部分的に展開して示す要部説明図。
【図８】図７との対応関係のもとで着用時の衿部における下前表側および衽側の衿先部状態を示す要部説明図。
【図９】第２の考案に係る仕立衿と対丈着物とを組み合わせて着用した際の状態を例示する説明図。
【考案を実施するための形態】
【００２７】
本考案のうち、第１の考案は、襦袢を着ていなくても着物の着姿をあたかも襦袢を着ているかの如く装って身に着けることができる仕立衿に関し、第２の考案は、対丈着物と第１の考案の仕立衿との組み合わせに係る仕立衿付き対丈着物に関するものである。
【００２８】
まず、第１の考案（仕立衿）について説明する。図１は、第１の考案の一例についての展開正面図を、図２は、その展開背面図を、図３は、ベルト体側のみを身体回り方向に配置した状態の説明図を、図４は、図３の状態からさらに衿部本体の一方の衿先側と他方の衿先側とのそれぞれのフックテープ片をパイル布地側に各別に掛着させた際の説明図をそれぞれ示す。
【００２９】
これらの図によれば、仕立衿１１は、身に着けた際に衿自体を構成する衿部本体１２と、該衿部本体１２を身体の背中側で支持する背側布体２２と、衿部本体１２の一端１２ａ側と他端１２ｂ側とを適宜位置に固定させた状態のもとで衿部本体１２と背側布体２２とを身体側に安定的に配置してその全体を一体化するベルト体３２とで構成されている。
【００３０】
これらのうち、衿部本体１２は、衿用布材１３の長手方向での上縁側を前側に折り返して折畳み片部１４を形成し、該折畳み片部１４と衿用布材１２との間に芯材１５を介在配置することで形成されている。
【００３１】
この場合、衿用布材１３は、展開時の布幅が１０ｃｍ前後で長さが１３５．５ｃｍ前後の適宜の布材を用いて形成されており、折畳み片部１４は、衿用布材１３の長手方向での上縁側を前側（首筋との直面側）に折り返すことで形成されることになる。
【００３２】
また、折畳み片部１４は、図２に示されているように首筋側と直面する部位が均等に二つ折りされた後の残余の衿用布材１３側の幅と略一致する５ｃｍ程度の幅を備え、一方の衿先部１８が位置する長手方向での一方端１４ａ側と、他方の衿先部１９が位置する他方端１４ｂ側とのそれぞれに向かうにつれてその幅が３ｃｍ程度となるように漸減する傾斜を描くように衿用布材１３を折り返すことで形成されている。
【００３３】
芯材１５は、折畳み片部１４の幅よりも若干広幅となって折畳み片部１４と衿用布材１２との間に介在配置される可撓性に富む適宜の合成樹脂板からなり、折畳み片部１４の長手方向での一方端１４ａ側と他方端１４ｂ側とのそれぞれから２７ｃｍ前後離れた位置にまで到達する長さを備えて形成されている。
【００３４】
しかも、衿部本体１２の長手方向での一端１２ａ寄りと他端１２ｂ寄り、具体的には一端１２ａ側と他端１２ｂ側とのそれぞれから８ｃｍ前後離れて位置する折畳み片部１４のそれぞれの部位は、一方の側の面ファスナーであるフックテープ片１６ともども衿用布材１３側に各別に縫着することで衿用布材１３側と一体化されている。
【００３５】
また、衿部本体１２は、図２に示されているように身に着けた際に首筋側に位置する部位の後ろ側に、適宜の着物、例えば図５に示す対丈着物４１を着用した際に前記首筋側との対面位置にある衿部４４の裏側に配設された例えば押しホックの凸部などからなる他側掛着部材５０との掛合が自在な例えば押しホックの凹部などからなる一側掛着部材１７が付設されており、該一側掛着部材１７を介して図５に示す対丈着物４１を含む着物側への一体的な組み付けが可能となって形成されている。
【００３６】
背側布体２２は、１５ｃｍ程度の布幅と５４ｃｍ程度の長さとを備える適宜の布材を用いて形成されており、衿部本体１２の長手方向での中央部位に長手方向での上端部２３を縫着して垂下させることで、衿部本体１２との間で略Ｔ字状を呈するように配置されている。
【００３７】
ベルト体３２は、背側布体２２の長手方向での適宜位置に長手方向での中央部を縫着して左右方向に振り分けられた一側ベルト片部３３と他側ベルト片部３４とを備えており、そのいずれか一方、図１に示す例では身に着ける際に右側に位置する一側ベルト片部３３の裏側３５の開放端３３ａ寄りに一方の側の面ファスナーであるフックテープ片３６を備えるとともに、表側３７を図２に示すように他方の側の面ファスナーとしての役割を担わせるパイル布地３８とすることで形成されている。
【００３８】
この場合、ベルト体３２は、その幅が８ｃｍ前後で、長手方向（図１および図２における左右方向）での全長が９３ｃｍ前後となって形成されており、衿部本体１２の下縁側から２０ｃｍ前後離れた下方位置にその上縁３２ａが位置するように展開時における衿部本体１２の長手方向と略平行となる位置関係のもとで背側布体２２側に縫着されている。
【００３９】
次に、上記構成からなる第１の考案の作用・効果を説明すれば、仕立衿１１を身に着ける際には、図１に示す状態のもとで背側布体２２を身体の背面側に、衿部１１ａを衿首側にそれぞれ配置した上で、衿部本体１２における一方の衿先部１８と他方の衿先部１８とを図４に示すように身体の胸側に回り込ませる。
【００４０】
ベルト体３２は、一方の衿先部１８と他方の衿先部１９とを図４に示すように人体の胸周り方向に回り込ませた後、一側ベルト片部３３と他側ベルト片部３４とをそれぞれの振り分け方向に従い背側から胸周り位置側へと図３および図４に示すように回り込ませた上で、一側ベルト片部３３の裏側に配置されているフックテープ片３６を他側ベルト片部３４の表側に配置されているパイル布地３８に掛着して一体化することでベルトとして装着することができる。
【００４１】
一側ベルト片部３３と他側ベルト片部３４とは、このようにして身体の胸周りに位置させた際にそれぞれのパイル布地３８側が表側に位置することになるので、該パイル布地３８に対し一方の衿先部１８と他方の衿先部１９とをそれぞれのフックテープ片１６を掛着させることで、あたかも襦袢を着ているような雰囲気を醸成する仕立衿１１として身に着けることができることになる。
【００４２】
つまり、第１の考案によれば、ベルト体３２は、一側ベルト片部３３と他側ベルト片部３４とを胸周りに配置して一側ベルト片部３３が裏側に備えるフックテープ片３６を表側のパイル布地３８側に掛着することで締め付け感のない胸周りベルトとしてしっかりと身体側に固定することができる。
【００４３】
また、衿部本体１２は、その一端１２ａ寄りである一方の衿先部１８側と他端１２ｂ寄りである他方の衿先部１９側とを、それぞれが備えるフックテープ片３６をベルト体３２が表側に備えるパイル布地３８に掛着させることで、仕立衿１１として簡単、かつ、安定的に身に着けることができることになる。
【００４４】
しかも、仕立衿１１は、衿部本体１２の一方の衿先部１８側と他方の衿先部１９側とのそれぞれのフックテープ片３６をパイル布地３８の適位置に各別に掛着することができるので、仕立衿１１の衿の空き具合も必要に応じて自由に調整することができる。
【００４５】
この場合、仕立衿１１における衿部本体１２の表側に、第５図に示す対丈着物４１を含む着物を着用した際に首筋側との対面位置にある衿部４４の裏側に設けられている他側掛着部材５０との掛合が自在な一側掛着片１７が設けられている場合には、着物側の他側掛着部材５０と衿部本体１２側の一側掛着部材１７とを掛合させることで、着物側の衿部４４と仕立衿１１側の衿部１１ａとの間の位置づれをなくして着物に対し仕立衿１１を一体感を伴った状態のもとで簡単に組み付けることができるので、着物の衿部側が崩れないようにして極く容易にその全体を着用することができる。
【００４６】
一方、第２の考案は、第１の考案に係る仕立衿１１と、該仕立衿１１側の一側掛着部材１７との掛合が可能な他側掛着部材５０と仕立衿１１の衿幅、例えば５ｃｍ前後の衿幅よりもより狭幅、例えば４．５ｃｍ前後の狭幅な衿部４４とを備えて仕立衿１１との一体的な組み付けを可能に形成された長袖４３付きの対丈着物４１とで構成されている。この場合、長袖４３は、袖桁が３７ｃｍ前後で、袖丈が４７ｃｍ前後、袖口の縦長（縦幅）が１３ｃｍ前後、身八つ口側の縦長（縦幅）が２４ｃｍ前後となって形成されている。
【００４７】
すなわち、対丈着物４１の全体は、着用者の別にバスト、アンダーバスト、ウエストおよびヒップを含む身体各部から採寸された各曲線情報に基づく曲線を付与して各別に裁断された上身頃体４２と下身頃体５２とを、御端折りを介在させることなく図５に示されているようにウエストラインＷの位置にて立体的に縫い合わせることで一体化され、かつ、長袖４３を備えて形成されている。
【００４８】
この場合、上身頃体４２と下身頃体５２とは、例えば上質のポリエステル素材などのように、しわになりにくく、虫に食われることもなく、かつ、汚れがつきにくく、家庭でも洗濯でき、保存も容易な適宜の素材を用いて形成するのが好ましい。
【００４９】
また、上身頃体４２と下身頃体５２とをウエストラインＷの位置にて立体的に縫い合わせることで一体化されてなる対丈着物４１は、図５および図６（ａ）〜（ｃ）に示されている位置関係のもとで配置された第１結び紐６２〜第６結び６７を備えて形成されている。
【００５０】
これらのうち、第１結び紐６２は、図６（ａ）に示されているように右側縫い線Ｌ１から長さａ分（例えば５ｃｍ）だけ内側に入った位置にある下前表５３の、つまり、着用時の下前表５３にあって右側縫い線Ｌ１からやや前身頃方向に入り込んだ位置にあるウエストラインＷの上側にその一端部６２ａを逢着するなどして固着されている。
【００５１】
第２結び紐６３は、図６（ｃ）に示されているように衽５６の衽の外縁部におけるウエストラインＷの下側にその一端部６３ａを逢着するなどして固着されている。
【００５２】
第３結び紐６４は、図６（ｂ）に示されているように右側開放端５７から長さａ分（例えば５ｃｍ）だけ内側に入った下前裏５４の、つまり、着用時の下前裏５４にあって右側開放端５７からやや前身頃方向に入り込んだ位置にあるウエストラインＷの下側にその一端部６４ａを逢着するなどして固着されている。
【００５３】
第４結び紐６５は、図６（ｃ）に示されているように左側縫い線Ｌ２から長さｂ分（例えば３ｃｍ）だけ内側に入った、つまり、着用時の上前裏５５にあって左側縫い線Ｌ２からやや後身頃方向に入り込んだ位置にあるウエストラインＷの上側にその一端部６５ａを逢着するなどして固着されている。
【００５４】
第５結び紐６６は、図６（ｂ）に示されているように右側開放端５７から長さａ分（例えば５ｃｍ）だけ内側に入り、かつ、下身頃体５２の縦長さＡ方向での中間位置Ａ／２から長さｃ分（例えば１２ｃｍ）上方に位置する部位、つまり、着用時の下前裏５５にあって右側開放端５７からやや前身頃方向に入り込み、かつ、下身頃体５２の縦長さ方向での中間位置から１２ｃｍ前後上方に位置する部位にその一端部６６ａを逢着するなどして固着されている。
【００５５】
第６結び紐６７は、図６（ｃ）に示されているように左側縫い線Ｌ２の外側に沿わせ、かつ、下身頃体５２の縦長さＡ方向での中間位置Ａ／２から長さｄ分（例えば１７ｃｍ）上方に位置する部位、つまり、着用時の上前裏５５にあって左側縫い線Ｌ２に沿った前身頃側における下身頃体５２の縦長さ方向での中間位置から１７ｃｍ前後上方に位置する部位にその一端部６７ａを逢着するなどして固着されている。
【００５６】
また、対丈着物４１における衿部４４は、図７からも明らかなように、衿本体部４５側へと折り畳まれて対面する折返し部４６を備えており、それぞれの衿先部４７側は、衿本体部４５側の幅６ｃｍ前後を残して３ｃｍ前後の幅となるように折返し部４６側を折り返すことで形成されている。
【００５７】
次に、第２の考案の作用・効果について説明すれば、対丈着物４１は、仕立衿１１が備える一側掛着部材１７との掛合が可能な他側掛着部材５０と、仕立衿１１の衿部１１ａの衿幅よりも狭幅な衿部４４とを備えているので、他側掛着部材５０に一側掛着部材１７を掛合させることで、図９に示すように仕立衿１１を対丈着物４１側に一体的に組み付けて着用することができる。
【００５８】
しかも、このとき、対丈着物４１の衿部４４の衿幅は、仕立衿１１の衿部１１ａの衿幅よりも狭幅なので、襦袢を着用していなくてもあたかも襦袢を着ているような着姿のもとで対丈着物４１を着用することができることになる。
【００５９】
また、対丈着物４１には、通常の着物が備えるお端折りに相当するものがないので、着用時における着崩れのほか、窮屈で苦しさを伴う紐の巻き付けというお端折りに由来する不具合を解消させることができる。
【００６０】
さらに、対丈着物４１の衿部４４は、該衿部４４にあって下前裏５４側もしくは衽５６側とは非連続となって左右の衿先部４７側のそれぞれに折返し部４６が配置されていることから、きちんと巻き込めておさまりがよいので、着心地がよいほか、衿の形をきれいに出すこともできる。また、対丈着物４１の衿部４４は、着るときに好みの衿幅に折って着付けることができるほか、胸元がはだけにくく、折り目がふっくらしているため、胸元を美しく見せることもできる。
【００６１】
また、対丈着物４１が予め取り付け位置が定められている第１結び紐６２〜第６結び紐６７とを備えている場合には、着用者は、第１結び紐６２〜第６結び紐６７につき、それぞれの対応位置にあるものを相互に結んで着用した際に裾先を若干せり上がらせることで、裾５８周りの仕舞いを美しく整えることができる。しかも、第２結び紐６３は、着用時の上前裏５５にあって衽５６の外縁部におけるウエストラインＷの下側にその一端部６３ａが固着されて着用時に第１結び紐６２と結ばれることから、上前下身頃の端が結ばれることになり、したがって、上前下身頃の端のずれを防ぐことができ、衿先をしっかりとおさえることができることになる。
【００６２】
すなわち、その着用時には、第３結び紐６４と第４結び紐６５とを結んで図６（ａ）に示すように下前側を若干せり上がらせ、第５結び紐６６と第６結び紐６７とを結んで下前左裾側をさらに若干せり上がらせるとともに、図６（ｂ）にすように第１結び紐６２と第２結び紐６３とを結んで上前右裾側を若干せり上がらせるようにすることで、帯を締めることにより下裾周りの仕舞いを美しく整えて着用することができる。
【００６３】
しかも、このとき、第５結び紐６６と第６結び紐６７とは、これらを相互に結んだ際に着用者の膝上部分に位置する結果、比較的大きな歩幅での歩行を可能とすることで、現代の生活習慣に合わせた歩幅でゆったり、かつ、颯爽と歩くこともできる。
【００６４】
また、上身頃体４２は、長袖４３付きで形成されているので、図９からも明らかなように見た目には従来の着物と同様な感覚を発揮させることで、結婚式や入学・卒業式などのような比較的正式な催しであっても上品さを伴って着用することができることになる。
【符号の説明】
【００６５】
１１  仕立衿
１１ａ  衿部
１２  衿部本体
１２ａ  一端
１２ｂ  他端
１３  衿用布材
１４  折畳み片部
１４ａ  一方端
１４ｂ  他方端
１５  芯材
１６  フックテープ片
１７  一側掛着部材
１８  一方の衿先部
１９  他方の衿先部
２２  背側布材
２３  上端部
３２  ベルト体
３２ａ  上縁
３３  一側ベルト片部
３３ａ  開放端
３４  他側ベルト片部
３５  裏側
３６  フックテープ片
３７  表側
３８  パイル布地
４１  対丈着物
４２  上身頃体
４３  長袖
４４  衿部
４５  衿本体部
４６  折返し部
４７  衿先部
５０  他側掛着部
５２  下身頃部
５３  下前表
５４  下前裏
５５  上前裏
５６  衽
５７  右側開放端
５８  裾部
６２  第１結び紐
６２ａ  一端部
６３  第２結び紐
６３ａ  一端部
６４  第３結び紐
６４ａ  一端部
６５  第４結び紐
６５ａ  一端部
６６  第５結び紐
６６ａ  一端部
６７  第６結び紐
６７ａ  一端部
Ｌ１  右側縫い線
Ｌ２  左側縫い線
Ｗ  ウエストライン
【図１】
0003206851.tif 000003
【図２】
0003206851.tif 000004
【図３】
0003206851.tif 000005
【図４】
0003206851.tif 000006
【図５】
0003206851.tif 000007
【図６】
0003206851.tif 000008
【図７】
0003206851.tif 000009
【図８】
0003206851.tif 000010
【図９】
0003206851.tif 000011